(57)【要約】      （修正有） 【課題】集客力の高い簡易設置型の商品ワゴンを提供する。【解決手段】ワゴン体の背面側の上方に向かって突設するディスプレイネット３ｂを備えたワゴン什器３と、前記ワゴン什器を背面から挿入し収納する格納部２ｄを有し、正面壁に前記ディスプレイネットが見える窓２ａを備えたパネル体２とからなることを特徴とする商品ワゴン１と、前記パネル体の外観を、動物又は乗物或いはキャラクターの外観を模した形状としたことを特徴とする商品ワゴンと、前記ワゴン体の底面に、複数のキャスター３ｄを取り付けたことを特徴とする商品ワゴンと、前記ディスプレイネットを、網状又は板状とし、前記ディスプレイネットに商品陳列用の可動棚を取り外し可能に設置したことを特徴とする商品ワゴンの構成とした。【選択図】図１
0003151239.tif 000002
【実用新案登録請求の範囲】
【請求項１】
ワゴン体の背面側の上方に向かって突設するディスプレイネットを備えたワゴン什器と、前記ワゴン什器を背面から挿入し収納する格納部を有し、正面壁に前記ディスプレイネットが見える窓を備えたパネル体とからなることを特徴とする商品ワゴン。
【請求項２】
前記パネル体の外観を、動物又は乗物或いはキャラクターの外観を模した形状としたことを特徴とする請求項１に記載の商品ワゴン。
【請求項３】
前記ワゴン体の底面に、複数のキャスターを取り付けたことを特徴とする請求項１又は請求項２のいずれか１項に記載の商品ワゴン。
【請求項４】
前記ディスプレイネットを、網状又は板状とし、前記ディスプレイネットに商品陳列用の可動棚を取り外し可能に設置したことを特徴とする請求項１乃至請求項３のいずれか１項に記載の商品ワゴン。
【考案の詳細な説明】
【技術分野】
【０００１】
本考案は、各種商品の陳列又は販売をするための商品ワゴンに関する考案である。
【背景技術】
【０００２】
従来、各種商品を陳列又は販売する簡易設置型の商品ワゴンは組立式のワゴン什器を使用して屋根や電飾などの必要な装飾を施して設置していた。
【０００３】
しかしながら、従来の簡易設置型の商品ワゴンでは、装飾を施しても集客力に欠けることがあり、更に集客力を上げるために沢山の装飾をしてゆくことで全体のまとまりがなく見栄えが悪くなることがあった。
【０００４】
また、装飾を施しても全体的な外観はワゴン什器の形状であるためワゴン什器のイメージが強く残ることがあり、集客力に限界があった。
【０００５】
更に、イメージを変えるためにワゴン什器に施した装飾を取り外し、別の装飾を施す際に手間と時間がかかることがあり、このように手間をかけても上述のように装飾が綺麗にまとまることは少なかった。
【先行技術文献】
【特許文献】
【０００６】
【特許文献１】実用新案登録第３０６５８２１号公報
【考案の概要】
【考案が解決しようとする課題】
【０００７】
そこで、本考案は、集客力の高い簡易設置型の商品ワゴンを提供することを目的とするものである。
【課題を解決するための手段】
【０００８】
本考案は、上記の課題を解決するために、ワゴン体３ａの背面側の上方に向かって突設するディスプレイネット３ｂを備えたワゴン什器３と、前記ワゴン什器３を背面から挿入し収納する格納部２ｄを有し、正面壁に前記ディスプレイネット３ｂが見える窓２ａを備えたパネル体２とからなることを特徴とする商品ワゴンの構成とした。
【０００９】
また、前記パネル体２の外観を、動物又は乗物或いはキャラクターの外観を模した形状としたことを特徴とする商品ワゴンの構成とした。
【００１０】
また、前記ワゴン体３ａの底面に、複数のキャスターを取り付けたことを特徴とする商品ワゴンの構成とした。
【００１１】
更に、前記ディスプレイネット３ｂを、網状又は板状とし、前記ディスプレイネットに商品陳列用の可動棚を取り外し可能に設置したことを特徴とする商品ワゴンの構成とした。
【考案の効果】
【００１２】
本考案である商品ワゴンは、設置が容易であり、且つ全体的なまとまりも良く人目につきやすいため集客力が高い。
【００１３】
また、パネル体を変えることにより簡単に商品ワゴンのイメージを変えることができるため、設置場所、季節などに応じて様々な形の商品ワゴンを設置することができる。
【図面の簡単な説明】
【００１４】
【図１】本考案である商品ワゴンの正面図である。
【図２】本考案である商品ワゴンのパネル体の正面図である。
【図３】本考案である商品ワゴンのパネル体の平面図である。
【図４】本考案である商品ワゴンのパネル体の側面図である。
【図５】本考案である商品ワゴンのパネル体の断面図である。
【図６】本考案である商品ワゴンのワゴン什器の正面図である。
【図７】本考案である商品ワゴンのワゴン什器の背面図である。
【図８】本考案である商品ワゴンのワゴン什器の側面図である。
【図９】本考案である商品ワゴンの使用状態を示した正面図である。
【図１０】本考案である商品ワゴンのパネル体の第２実施例を示した正面図である。
【考案を実施するための形態】
【００１５】
以下に、添付図面に基づいて、本考案である商品ワゴンについて詳細に説明する。
【実施例１】
【００１６】
図１は本考案である商品ワゴンの正面図である。図１に示すように、本考案である商品ワゴン１は、パネル体２と前記パネル体２内に設置するワゴン什器３とからなる。
【００１７】
次に図２から図５を使用して、本考案である商品ワゴン１を構成するパネル体２を説明する。図２は商品ワゴンのパネル体の正面図、図３はパネル体の平面図、図４はパネル体の側面図、図５はパネル体の断面図である。
【００１８】
図２から図５に示すように、本考案である商品ワゴン１を構成するパネル体２は、キャラクターの形状をしており、正面壁に大きな窓２ａを設けてある。
【００１９】
前記窓２ａは、後に説明するワゴン什器３のディスプレイネット３ｂが見える窓であり、即ちディスプレイネット３ｂに陳列した商品が見える窓である。
【００２０】
前記窓２ａの窓底部２ｃの位置は、後に説明するワゴン什器３を構成するワゴン体３ａの上面と同程度であることが望ましく、即ちワゴン体３ａの上面に陳列した商品が窓２ａ内に見えるようにしてあれば良い。
【００２１】
図５に示すように、パネル体２の内部は大きな空間とし、ワゴン什器３を収納する格納部２ｄを形成している。また、ワゴン什器３はパネル体２の背面から収納するため、パネル体２の背面は大きく開いている。
【００２２】
尚、図２から図５では、パネル体２の形状をクマとしており、パネル体２の上部左右に突設されている部分は耳２ｂを表している。
【００２３】
次に図６から図８を使用して本考案である商品ワゴン１を構成するワゴン什器３を説明する。図６は本考案である商品ワゴンのワゴン什器の正面図、図７はワゴン什器の背面図、図８はワゴン什器の側面図である。
【００２４】
図６から図８に示すように、本考案である商品ワゴン１を構成するワゴン什器３は、ワゴン体３ａと、前記ワゴン体３ａの上部に上方に向かって突設されるディスプレイネット３ｂからなる。
【００２５】
前記ワゴン体３ａは背面が開口した箱状をしており、内部に棚板３ｆを設置して複数の空間に区分けすることができる。また、底部にはキャスター３ｄが取り付けられており、ワゴン什器３の移動を可能としている。但し、前記棚板３ｆやキャスター３ｄは任意の部材であるため、特に取り付けなくても構わない。
【００２６】
前記ディスプレイネット３ｂはワゴン体３ａの背面側上部に上方に向かって突設されており、格子状をしている。このディスプレイネット３ｂはネジなどの固定具３ｅによりワゴン体３ａに固定される。
【００２７】
前記ディスプレイネット３ｂには、可動棚３ｃを取り付けることができ、より効率よく商品を陳列することができる。
【実施例２】
【００２８】
次に図９を使用して、本考案である商品ワゴン１ａを説明することとする。図９は本考案である商品ワゴンの使用状態を示した正面図である。
【００２９】
図９に示すように、本考案である商品ワゴン１ａでは、パネル体２内に格納する２台のワゴン什器３のうち、１台をワゴン体３ａだけを使用して売り子５が常駐できるスペースを設けた使用方法を示している。
【００３０】
この場合、売り子５側はワゴン体３ａだけを使用してワゴン体３ａの上面を陳列スペースや会計等のスペースとして使用することができ、ワゴン体３ａ内に在庫商品を収納することができる。但し、売り子５側にワゴン体３ａを使用しなくても良い。
【実施例３】
【００３１】
次に図１０を使用して、本考案である商品ワゴン１ｂを説明することとする。図１０は本考案である商品ワゴンのパネル体の第２実施例を示した正面図である。
【００３２】
図１０に示すように、本考案である商品ワゴン１ｂでは、パネル体６の形状を機関車の形状とし、中央に窓６ａを設けた。機関車、鉄道、電車関係の商品を扱う場所や駅などに設置するのに適している。
【００３３】
以上のように、パネル体２、６の形状を動物又は乗物或いはキャラクターに変えることにより設置する場所に合った商品ワゴンとすることができる。
【産業上の利用可能性】
【００３４】
以上のように、本考案にかかる商品ワゴンは、パネル体を変えることにより設置する場所に合った商品ワゴンとすることができ、しかも目にとまり易く集客効果が期待できる。また、外観も綺麗にまとまるため周囲の雰囲気を乱すことがないため様々な場所で利用することができる。
【符号の説明】
【００３５】
１        商品ワゴン
１ａ      商品ワゴン
１ｂ      商品ワゴン
２        パネル体
２ａ      窓
２ｂ      耳
２ｃ      窓底部
２ｄ      格納部
３        ワゴン什器
３ａ      ワゴン体
３ｂ      ディスプレイネット
３ｃ      可動棚
３ｄ      キャスター
３ｅ      固定具
３ｆ      棚板
３ｇ      収納部
４〜４ｆ  商品
５        売り子
６        パネル体
６ａ      窓
【図１】
0003151239.tif 000003
【図２】
0003151239.tif 000004
【図３】
0003151239.tif 000005
【図４】
0003151239.tif 000006
【図５】
0003151239.tif 000007
【図６】
0003151239.tif 000008
【図７】
0003151239.tif 000009
【図８】
0003151239.tif 000010
【図９】
0003151239.tif 000011
【図１０】
0003151239.tif 000012
【手続補正書】
【提出日】平成21年5月8日(2009.5.8)
【手続補正１】
【補正対象書類名】図面
【補正対象項目名】図１
【補正方法】変更
【補正の内容】
【図１】
0003151239.tif 000013
【手続補正２】
【補正対象書類名】図面
【補正対象項目名】図２
【補正方法】変更
【補正の内容】
【図２】
0003151239.tif 000014
【手続補正３】
【補正対象書類名】図面
【補正対象項目名】図９
【補正方法】変更
【補正の内容】
【図９】
0003151239.tif 000015